(57)【要約】【課題】  製造コストの上昇を抑制しつつ組付作業を容易とし、差込不足の解消を図ることのできる植物栽培用枠の植物栽培容器への固定構造を提供する。また、このような固定構造を採用することにより組み立て後の安定性がよく、部品紛失のおそれが少ないため繰り返し使用も可能な植物栽培セットを提供する。【解決手段】  第一接続部材１２Ａの差込軸部１２Ａ１には、差込軸部１２Ａ１が係合孔部２１に所定寸法差し込まれたときに、下面が植木鉢２０の係合孔部２１の上縁に接触して差し込みを停止させるためのフランジ状部（本体部１２Ａ０及び接続基部１２Ａ２，１２Ａ４）が一体形成されている。フランジ状部には、連結部材１１Ｂ，１１Ａの端部を回動自在に連結するための第二回動軸１２Ａ３２，１２Ａ５１（回動軸）が一体形成されている。【選択図】        図１２
0003101820.tif 000002
【実用新案登録請求の範囲】
【請求項１】
植物栽培容器で栽培される植物の周囲において上下に延びる空間を形成しうる植物栽培用枠を、前記植物栽培容器に固定するための固定構造であって、
前記植物栽培用枠は、植物の周囲に配置される複数の連結部材と、それら連結部材の端部を回動自在に連結するための複数の接続部材と、を含んで構成され、
前記接続部材には下向きに突出する差込部が一体形成され、前記植物栽培容器にはその差込部に対応して係合部が形成されることを特徴とする植物栽培用枠の固定構造。
【請求項２】
植物栽培容器で栽培される植物の周囲において上下に延びる空間を形成しうる植物栽培用枠を、前記植物栽培容器に固定するための固定構造であって、
前記植物栽培用枠は、植物の周囲に配置され交差位置にて相対回動自在に連結されてパンタグラフ状に伸縮する複数対の連結部材と、それら連結部材の端部を回動自在に連結するための複数の接続部材と、を含んで構成され、
前記接続部材には下向きに突出する差込部が一体形成され、前記植物栽培容器にはその差込部に対応して係合部が形成されることを特徴とする植物栽培用枠の固定構造。
【請求項３】
前記接続部材の差込部と前記植物栽培容器の係合部とのうち、一方は軸状、パイプ状等の凸状部で形成されるとともに、他方はその凸状部と嵌り合うために当該凸状部の外径とほぼ等しい内径を有する貫通孔状、凹陥部状等の凹状部で形成されている請求項１又は２に記載の植物栽培用枠の固定構造。
【請求項４】
前記接続部材の差込部と前記植物栽培容器の係合部とのうち少なくとも一方は、前記差込部が差込限界位置、差込標準位置等の目標位置にあるとき、前記係合部への差し込みを停止又は規制するストッパ機能を有する請求項１ないし３のいずれか一項に記載の植物栽培用枠の固定構造。
【請求項５】
前記接続部材には、前記差込部が前記係合部に所定寸法差し込まれたときに前記植物栽培容器に接触して差し込みを停止させるために前記ストッパ機能を有するフランジ状部が一体形成されている請求項４に記載の植物栽培用枠の固定構造。
【請求項６】
前記フランジ状部には、前記連結部材の端部を回動自在に連結するための回動軸が一体形成されている請求項５に記載の植物栽培用枠の固定構造。
【請求項７】
前記接続部材の差込部と前記植物栽培容器の係合部とのうち少なくとも一方は、前記差込部が前記係合部に対して差込限界位置、差込標準位置等の目標位置に到達したことを視認可能とする表示機能を有する請求項１ないし６のいずれか一項に記載の植物栽培用枠の固定構造。
【請求項８】
前記植物栽培容器の係合部が貫通孔部又は凹陥部で構成されるとともに、その係合部には前記接続部材の差込部を外部から視認可能とするための切欠部が差込方向に沿って形成されている請求項１ないし７のいずれか一項に記載の植物栽培用枠の固定構造。
【請求項９】
前記植物栽培容器の係合部が貫通孔部又は凹陥部で構成されるとともに、その係合部には前記接続部材の差込部を外部から視認可能とするための１又は複数の透孔が差込方向と交差する方向に形成されている請求項１ないし７のいずれか一項に記載の植物栽培用枠の固定構造。
【請求項１０】
前記透孔は差込方向に沿って複数形成され、前記差込部の差込量が大きくなるほど孔径が大きくなるように形成されている請求項９に記載の植物栽培用枠の固定構造。
【請求項１１】
少なくとも前記接続部材の差込部と前記植物栽培容器の係合部とが異なる色彩で着色されている請求項７ないし１０のいずれか一項に記載の植物栽培用枠の固定構造。
【請求項１２】
前記接続部材の差込部と前記植物栽培容器の係合部とのうち少なくとも一方は、前記差込部が差込限界位置、差込標準位置等の目標位置にあるとき、前記係合部への差し込みを終了して抜け止めを行うロック機能を有する請求項１ないし１１のいずれか一項に記載の植物栽培用枠の固定構造。
【請求項１３】
前記接続部材の差込部と前記植物栽培容器の係合部との間には、直接的に又は他部材を介して間接的に作用する摩擦抵抗、弾性変形等の機械的性質を用いて前記目標位置を保持するために前記ロック機能を有する保持機構が設けられている請求項１２に記載の植物栽培用枠の固定構造。
【請求項１４】
前記保持機構は、
前記接続部材の差込部と前記植物栽培容器の係合部とのうち、一方に部分的な凸部が形成されるとともに、他方にはその凸部と嵌り合う部分的な凹部が形成され、これらの部分的な凸部と凹部とによって構成されるラッチ機構である請求項１３に記載の植物栽培用枠の固定構造。
【請求項１５】
前記ロック機能が作動したとき、同時に聴覚的、視覚的及び感覚的刺激のうち少なくともいずれかが発生・伝達可能である請求項１２ないし１４のいずれか一項に記載の植物栽培用枠の固定構造。
【請求項１６】
前記接続部材の差込部は合成樹脂製の軸又はパイプで構成され、前記植物栽培容器の係合部は前記差込部の外径とほぼ等しい内径を有する合成樹脂製の貫通孔部又は凹陥部で構成されるとともに、
前記差込部の外周面には部分的な凸部が一体形成される一方、前記係合部の内周面には部分的な凹部が一体形成され、
前記差込部が前記係合部に差し込まれたとき、凸部と凹部とが弾性変形及び弾性復帰によって嵌合して前記目標位置に保持される請求項１４に記載の植物栽培用枠の固定構造。
【請求項１７】
前記接続部材の差込部と前記植物栽培容器の係合部とには、差し込み方向と交差する方向にそれぞれ透孔が形成され、
前記差込部が前記係合部に差し込まれ、前記目標位置において互いの透孔が一致したとき、これらの透孔には保持軸が挿入される請求項１２又は１３に記載の植物栽培用枠の固定構造。
【請求項１８】
前記接続部材の差込部は合成樹脂製の軸又はパイプで構成され、前記植物栽培容器の係合部は前記差込部の外径とほぼ等しい内径を有する合成樹脂製の貫通孔部又は凹陥部で構成されるとともに、
前記差込部の外周面及び前記係合部の内周面には、下向きに狭まる傾斜を有するテーパがそれぞれ形成されている請求項１２又は１３に記載の植物栽培用枠の固定構造。
【請求項１９】
栽培される植物の周囲において上下に延びる空間を形成しうる植物栽培用枠と、その植物栽培用枠を固定するための植物栽培容器と、を備え、
それら植物栽培用枠と植物栽培容器との間に請求項１ないし１８のいずれか一項に記載の植物栽培用枠の固定構造を有することを特徴とする植物栽培セット。
【考案の詳細な説明】
【技術分野】
【０００１】
本考案は、植物栽培用枠の固定構造及びそれを用いた植物栽培セットに関する。
【背景技術】
【０００２】
従来より、小学校では植木鉢と支柱とを備える植物栽培セットを用いて朝顔などの蔓性植物の栽培実習が行われている。このような植物栽培セットでは、支柱が植木鉢へ十分に差し込まれていない状態で植物の栽培が行われると、風等によって支柱が抜け出したり、植物の成長につれて支柱が抜け出したりするおそれがある。組み立ての際、支柱をどこまで差し込めばよいかの目安がないため、特に、非力な低学年児童が朝顔栽培を実習するときには支柱の差込不足の状態が発生しやすく、朝顔の蔓の伸長によって支柱が抜け出てしまうと蔓が切れてしまうため、その後の観察ができなくなるおそれがある。そこで、ほぼ平行な縦方向の４本の支柱と、支柱と水平面との交点位置に各々固定されたコーナ部材（接続部材）と、コーナ部材の各々の両端部に回動自在に接続された支持枠エレメント（連結部材）とから構成された支持枠付き支柱（植物栽培用枠）において、支柱をコネクタ、アクセプター等の補助具を介して植木鉢（植物栽培容器）に取り付ける技術が開示されている（例えば、特許文献１参照）。
【０００３】
【特許文献１】特開２００２−２０９４４５号公報
【０００４】
上記支持枠付き支柱の植木鉢への取付構造によれば、補助具を用いることによって、児童が支柱を植木鉢に挿入して組み付ける作業を補助でき、大人がその組み付け作業を容易に指導できる。また、これらの補助具に備えられたフランジ部によって支柱の差込不足の状態をある程度回避することもできる。ところが、このような取付構造では、植物栽培用枠（支柱）は複数の補助具を介して植木鉢に取り付けられるので、製造コストが嵩み、組付作業がかえって煩雑になるおそれがある。そのため、組み立て後の安定性も悪くなり、差込不足の解消を図りにくくなる。また、これらの補助具のうち１個でも紛失すると、植物栽培用枠（支柱）を植木鉢へ取り付けできなくなってしまうおそれもある。
【考案の開示】
【考案が解決しようとする課題】
【０００５】
本考案の課題は、製造コストの上昇を抑制しつつ組付作業を容易とし、差込不足の解消を図ることのできる植物栽培用枠の植物栽培容器への固定構造を提供することにある。また、本考案の課題は、このような固定構造を採用することにより組み立て後の安定性がよく、部品紛失のおそれが少ないため繰り返し使用も可能な植物栽培セットを提供することにある。
【課題を解決するための手段及び考案の効果】
【０００６】
上記課題を解決するために、本考案に係る植物栽培用枠の第一の固定構造は、
植物栽培容器で栽培される植物の周囲において上下に延びる空間を形成しうる植物栽培用枠を、前記植物栽培容器に固定するための固定構造であって、
前記植物栽培用枠は、植物の周囲に配置される複数の連結部材と、それら連結部材の端部を回動自在に連結するための複数の接続部材と、を含んで構成され、
前記接続部材には下向きに突出する差込部が一体形成され、前記植物栽培容器にはその差込部に対応して係合部が形成されることを特徴とする。
【０００７】
また、上記課題を解決するために、本考案に係る植物栽培用枠の第二の固定構造は、
植物栽培容器で栽培される植物の周囲において上下に延びる空間を形成しうる植物栽培用枠を、前記植物栽培容器に固定するための固定構造であって、
前記植物栽培用枠は、植物の周囲に配置され交差位置にて相対回動自在に連結されてパンタグラフ状に伸縮する複数対の連結部材と、それら連結部材の端部を回動自在に連結するための複数の接続部材と、を含んで構成され、
前記接続部材には下向きに突出する差込部が一体形成され、前記植物栽培容器にはその差込部に対応して係合部が形成されることを特徴とする。
【０００８】
これらの植物栽培用枠の固定構造によれば、植物栽培容器の係合部への差込部が接続部材と一体形成されるので、製造コストの高騰を招くことなく組付作業が容易に行える。また、差込不足の解消を図るために、差込位置に関するストッパ機能・表示機能・ロック機能等を植物栽培用枠の差込部や植物栽培容器の係合部に直接的に組み込むことができるので、補助具等の部品点数が増大したり紛失したりするおそれも少ない。特に、第二の固定構造の場合、植物栽培用枠から従来の上下方向支柱をなくし、これに代って斜め方向に交差してパンタグラフ状に伸縮することのできる複数対の連結部材を用いているので、このような連結部材の端部を回動自在に連結するための接続部材を差込部と一体化させてコンパクトに植物栽培容器に組み付けることができる。
【０００９】
第一又は第二の固定構造において、植物栽培用枠の水平断面形状（内部空間）は角柱状又は角錐台状（空間）、円柱状又は円錐台状（空間）等を適宜採用することができる。なお、これらには、擬似角柱状又は擬似角錐台状（空間）を形成する場合、擬似円柱状又は擬似円錐台状（空間）を形成する場合等も含まれる。また、第一の固定構造では、従来から上下方向に立設されていた支柱を植物栽培用枠に含んで構成することができる。
【００１０】
これらの固定構造では、接続部材の差込部と植物栽培容器の係合部とのうち、一方を軸状、パイプ状等の凸状部で形成するとともに、他方をその凸状部と嵌り合うために凸状部の外径とほぼ等しい内径を有する貫通孔状、凹陥部状等の凹状部で形成すればよいから、各々の仕様に応じて選択することができ、複数仕様の設定も容易に行え、また、非力な低学年児童でも差込部の係合部への差込作業が楽に行える。
【００１１】
ところで、接続部材の差込部と植物栽培容器の係合部とのうち少なくとも一方に、差込部が差込限界位置、差込標準位置等の目標位置にあるとき、係合部への差し込みを停止又は規制するストッパ機能を付与することができる。
【００１２】
あるいは、接続部材の差込部と植物栽培容器の係合部とのうち少なくとも一方に、差込部が係合部に対して差込限界位置、差込標準位置等の目標位置に到達したことを視認可能とする表示機能を付与することができる。
【００１３】
このように、植物栽培用枠の差込部や植物栽培容器の係合部に差込位置に関するストッパ機能や表示機能を直接的に組み込むことができるので、コンパクトな構造で差込不足の解消を図ることができ、補助具等の部品点数の増大に伴う製造コストの高騰、部品の紛失等のおそれも少ない。
【００１４】
ここで、ストッパ機能を付与する具体例として、接続部材には、差込部が係合部に所定寸法差し込まれたときに植物栽培容器に接触して差し込みを停止させるためにストッパ機能を有するフランジ状部を一体形成することができる。この場合、フランジ状部には、連結部材の端部を回動自在に連結するための回動軸を一体形成すれば、一層コンパクトな植物栽培用枠とすることができる。
【００１５】
一方、表示機能を付与する具体例として、植物栽培容器の係合部を貫通孔部又は凹陥部で構成するとともに、係合部には接続部材の差込部を外部から視認可能とするための切欠部を差込方向に沿って形成することができる。この場合、切欠部を、差込部の差込量が大きくなるほど切欠幅が連続的又は段階的に広くなるように形成すれば、差し込みの目標とする位置が一層明確となる。
【００１６】
さらに、表示機能を付与する他の具体例として、植物栽培容器の係合部を貫通孔部又は凹陥部で構成するとともに、係合部には接続部材の差込部を外部から視認可能とするための１又は複数の透孔を差込方向と交差する方向に形成することができる。この場合、透孔を差込方向に沿って複数形成し、差込部の差込量が大きくなるほど孔径が大きくなるように形成すれば、差し込みの目標とする位置が一層明確となる。
【００１７】
これらの表示機能を付与する際には、少なくとも接続部材の差込部と植物栽培容器の係合部とが異なる色彩で着色されていることが望ましい。あるいは、接続部材と植物栽培容器とは異なる色彩の合成樹脂でそれぞれ一体成形されていることが望ましい。接続部材（の差込部）と植物栽培容器（の係合部）とを異色とすることによって、上記した切欠部又は透孔を通して差込部の差込量をしっかりと認識することができる。
【００１８】
次に、接続部材の差込部と植物栽培容器の係合部とのうち少なくとも一方に、差込部が差込限界位置、差込標準位置等の目標位置にあるとき、係合部への差し込みを終了して抜け止めを行うロック機能を付与することができる。このように、差込不足の解消を図るために、差込位置に関するロック機能を植物栽培用枠の差込部や植物栽培容器の係合部に直接的に組み込むことができるので、補助具等の部品点数が増大したり紛失したりするおそれも少ない。
【００１９】
これらの固定構造では、接続部材の差込部と植物栽培容器の係合部との間には、直接的に又は他部材を介して間接的に作用する摩擦抵抗、弾性変形等の機械的性質を用いて目標位置を保持するためにロック機能を有する保持機構を設けるとよい。機械的性質に基づく保持機構を設けることにより、差込部あるいは係合部に簡潔な構造で作動の確実なロック機能を付与して、差込不足の解消を図ることができる。
【００２０】
その保持機構は、接続部材の差込部と植物栽培容器の係合部とのうち、一方に部分的な凸部が形成されるとともに、他方にはその凸部と嵌り合う部分的な凹部が形成され、これらの部分的な凸部と凹部とによって構成されるラッチ機構とすることができる。
【００２１】
そして、ロック機能が作動したとき、同時に聴覚的、視覚的及び感覚的刺激のうち少なくともいずれかが発生・伝達可能とすれば、作業者の五感に直接的に訴えることで差込不足の状態をより効果的に回避することができる。なお、凸部と凹部とが嵌り合ったときを例にとれば、聴覚的刺激として「パチッ」という音感、視覚的刺激として表示領域の色彩変化、感覚的刺激として摩擦による抵抗感等を挙げることができる。
【００２２】
ここで、ラッチ機構（ロック機能付与）の具体例として、接続部材の差込部を合成樹脂製の軸又はパイプで構成し、植物栽培容器の係合部を差込部の外径とほぼ等しい内径を有する合成樹脂製の貫通孔部又は凹陥部で構成するとともに、差込部の外周面には部分的な凸部を一体形成し、係合部の内周面には部分的な凹部を一体形成し、差込部が係合部に差し込まれたとき、凸部と凹部とを弾性変形及び弾性復帰によって嵌合して目標位置に保持する構成とすることができる。このように合成樹脂の弾性を利用した簡潔な構造であっても作動の確実なロック機能を付与して、差込不足の解消を図ることができる。しかも、凸部と凹部とが嵌合したときに、例えば上記したような「パチッ」という音感を出すことも容易にできるので、低学年児童でも差込不足の状態にならずに容易に組み立てが行えるようになる。
【００２３】
また、保持機構（ロック機能付与）の具体例として、接続部材の差込部と植物栽培容器の係合部とには、差し込み方向と交差する方向にそれぞれ透孔を形成し、差込部が係合部に差し込まれ、目標位置において互いの透孔が一致したとき、これらの透孔に保持軸を挿入することができる。透孔への保持軸の挿入といった簡単な操作を行うだけで差込部と係合部とをロックして抜け止めとすることができる。
【００２４】
あるいは、保持機構（ロック機能付与）の他の具体例として、接続部材の差込部を合成樹脂製の軸又はパイプで構成し、植物栽培容器の係合部を差込部の外径とほぼ等しい内径を有する合成樹脂製の貫通孔部又は凹陥部で構成するとともに、差込部の外周面及び係合部の内周面には、下向きに狭まる傾斜を有するテーパをそれぞれ形成することができる。例えば、射出成形の際の金型の抜き勾配を利用して、テーパ面での摩擦抵抗により抜け止めとしてもよい。この場合、差込部の外周面に形成されるテーパの傾斜を係合部の内周面に形成されるテーパの傾斜と等しく又は小さく設定すれば、繰り返し使用にも耐え得る外れ止め構造として用いることができる。
【００２５】
いずれにしても、複数の接続部材が共通の差込部を有し、植物栽培容器に形成される複数の係合部が差込部に対応した共通の構造を有することによって、構成部材の共用化が図れ、製造コストの低減化に寄与するとともに、低学年児童でも容易に組み立てが行えるようになる。
【００２６】
したがって、上記課題を解決するために、本考案に係る植物栽培セットは、
栽培される植物の周囲において上下に延びる空間を形成しうる植物栽培用枠と、その植物栽培用枠を固定するための植物栽培容器と、を備え、
それら植物栽培用枠と植物栽培容器との間に上記した植物栽培用枠の固定構造を有することを特徴とする。
【００２７】
植物栽培セットを既述の固定構造を用いて組み付ければ、組み立て後の安定性がよく、部品紛失のおそれが少ないため繰り返し使用も可能となる。また、差込不足の解消を図るための手段（ストッパ機能やロック機能）を植物栽培用枠の差込部や植物栽培容器の係合部に直接的に組み込むことができ、補助具等の部品点数が増大して製造コストの高騰を招来するおそれも少ない。
【考案を実施するための最良の形態】
【００２８】
（植物栽培用枠の第一の基本構成）
以下、本考案の実施の形態を図面を参照して説明する。図１は本考案の植物栽培セットの概略構造を示す斜視図であり、図２は本考案に係る植物栽培用枠の第一の基本構成を示す斜視図である。図１に示す植物栽培セット１は、朝顔などの蔓性栽培植物（図示せず）の周囲を取り囲む複数の枠体から構成される植物栽培用枠１０と、この植物栽培用枠１０の下端部を保持固定する植木鉢２０（植物栽培容器）と、同じく植物栽培用枠１０の上端部を保持固定する補強具３０とを備え、全体がポリプロピレン（ＰＰ；非塩素系樹脂）で形成されている。この枠体は図１のような四面体形状の植物栽培用枠１０では４連（１０Ａ〜１０Ｄ）に構成され、これらの枠体１０Ａ〜１０Ｄが植物の成長方向に一斉にパンタグラフ状に伸縮可能とされている。そこで、枠体１０Ａ〜１０Ｄをパンタグラフ状に伸縮調節した後、植物栽培用枠１０の下端部を植木鉢２０の係合孔部２１（係合部；凹状部）に挿通して保持固定し、植物栽培用枠１０の上端部を補強具３０で保持固定する。なお、２２は、栽培用土を入れて栽培植物の種を播いたり苗を移植したりするために、植木鉢２０に形成される栽培槽である。
【００２９】
図２を参照して、本考案に係る植物栽培用枠１０の第一の基本構成は、次のように表わされる。まず、栽培植物の成長方向を高さ方向（上下方向）として、その栽培植物の周囲に正四角柱状の仮想空間Ｒを形成する。この空間Ｒを互いに平行な上下複数の底面で高さ方向と直角方向（水平方向）に切ったとき、空間Ｒの周囲には切断底面数に応じて多数の側面が形成される。図２では、正四角柱が本来有する側面：４面と、上下４つの切断底面Ｂ１〜Ｂ４が形成する段数：３段とを掛けた１２の側面Ｓ１１〜Ｓ１４；Ｓ２１〜Ｓ２４；Ｓ３１〜Ｓ３４（図中一部省略）が形成される。
【００３０】
各側面Ｓ１１〜Ｓ３４には、対角線状に交差する一対の連結部材１１を設け、この一対の連結部材１１を、交差位置Ｘにて各々の側面Ｓ１１〜Ｓ３４に沿って相対回動自在に連結する。また、隣接する二側面（例えばＳ１１とＳ１２）に位置する各一対の連結部材１１，１１の端部を、底面Ｂ１，Ｂ２の角隅部に配置された接続部材１２，１２に対してそれぞれ相対回動自在に連結する。このように、交差位置Ｘにて連結された一対の連結部材１１の両端部を接続部材１２を介して次々と連結することによって、連結部材１１が網目状に交差する植物栽培用枠１０を組み立てる。なお、高さ方向に連続する側面（例えばＳ１１，Ｓ２１，Ｓ３１）上に位置する複数（例えば３対）の連結部材１１と複数（例えば８個）の接続部材１２との組立体が図１の枠体１０Ａ〜１０Ｄに相当する。
【００３１】
このようにして、一対の連結部材１１を各側面Ｓ１１〜Ｓ３４において網目状に交差連結し、いずれかの連結部材１１をその交差位置Ｘで相対回動すれば、すべての連結部材１１を連動させて一斉に相対回動させることができる。これによって、植物栽培用枠１０（連結部材１１）が高さ方向（上下方向）にパンタグラフ状に伸長又は収縮し、それにつれて各底面Ｂ１〜Ｂ４の底面積は縮小又は拡大する。つまり、連結部材１１のパンタグラフ状の伸縮によって、植物栽培用枠１０の高さ調節と広さ調節とが同時に行われるので、比較的横方向に広がらずに縦方向によく伸びる植物（蔓性植物など）と、比較的縦方向には伸びずに横方向によく広がる植物（枝性植物など）とに応じて、高さと広さを容易に調節できる。
【００３２】
したがって、一対の連結部材１１を、その交差位置Ｘで相対回動することにより高さ方向にパンタグラフ状に伸長していくと、各側面Ｓ１１〜Ｓ３４に設けられたすべての連結部材１１が底面Ｂ１〜Ｂ４の中央部に寄せ集められ、やがて植物栽培用枠１０（連結部材１１）は高さ方向にほぼ一直線状（棒状）に折り畳まれる。一方、一対の連結部材１１を、その交差位置Ｘで相対回動することにより高さ方向にパンタグラフ状に収縮していくと、各側面Ｓ１１〜Ｓ３４に設けられたすべての連結部材１１が底面Ｂ１〜Ｂ４の形状（図２では正方形）にて高さ方向に扁平状に折り畳まれる。
【００３３】
そこで、このような棒状又は扁平状に折り畳まれた状態から、植物栽培用枠１０（連結部材１１）を展開して植物栽培セット１として組み立てる手順を、さらに詳細に説明する。まず、連結部材１１をパンタグラフ状に伸縮させて最下位底面Ｂ４の大きさを調節しつつ、底面Ｂ４の角隅部に配置された接続部材１２，１２，１２，１２を植木鉢２０（植物栽培容器；図１参照）の係合孔部２１，２１，２１，２１（係合部；図１参照）に挿通して、植物栽培用枠１０を保持固定する。次に、最上位底面Ｂ１の角隅部に配置された接続部材１２，１２，１２，１２に、その底面Ｂ１の形状を保持するための補強具３０（図１参照）を係合させて、植物栽培用枠１０を保持固定する。
【００３４】
また、最上位底面Ｂ１の角隅部に配置された接続部材１２，１２，１２，１２を介して、その最上位底面Ｂ１を共有する形で増設側面Ｓ０１〜Ｓ０４（図２参照）毎に一対の増設連結部材（図示せず）を配置すれば、植物栽培用枠１０を高さ方向（植物成長方向）に延長（増設）できる。
【００３５】
なお、図２では栽培植物の周囲に正四角柱状の仮想空間Ｒを形成（想定）したが、仮想空間Ｒは、ｎ角柱状の空間（ｎは３以上の整数）であればよく、正ｎ角柱状でなくてもよい。つまり、ｎ＝４の場合、その底面Ｂの形状が長方形、菱形、平行四辺形等にも本考案は適用される。そして、一対の連結部材１１の連結や連結部材１１と接続部材１２との連結に若干の余裕（ガタ）を付与しておけば、底面Ｂの形状と植木鉢２０の係合孔部２１の配置形状とが完全に一致していなくても、植物栽培用枠１０を植木鉢２０に保持固定できる。
【００３６】
また、空間Ｒを切るために上下方向にｍ個の底面Ｂ１〜Ｂｍ（ｍは２以上の整数）があればよく、底面Ｂ１〜Ｂｍは互いに平行でなくてもあるいは水平方向でなくてもよい。ここで、ｍ−１は、一対の連結部材１１の高さ方向の積み重ね段数を表わし、ｍ＝２のとき一対の連結部材１１は１段に構成される。したがって、ｍ個の底面Ｂ１〜Ｂｍで切断されるｎ角柱状の空間Ｒに形成される側面Ｓの総数は、ｎ×（ｍ−１）面となる。さらに、空間Ｒは、ｎ角錐台状であってもよく、特に上方の底面Ｂほど底面積が大となるような上方広がり（下方すぼまり）空間としてもよい。
【００３７】
さらに、既述の通り、連結部材１１のパンタグラフ状の伸縮に基づき、植物栽培用枠１０の高さ調節に伴って広さが同時に変化するのに対応させて、植木鉢２０の係合孔部２１（係合部）の配置寸法又は補強具３０の配置寸法を連続的又は段階的に変えることができる。これによって栽培植物の適応範囲がさらに広くなる。
【００３８】
（植物栽培用枠の具体例１）
次に、植物栽培用枠の一具体例について、図３〜図８を参照して説明する。図３は本考案の植物栽培セットの一例を示す正面図及び側面図である。図３の植物栽培セット１は、植物栽培用枠１０と植木鉢２０（植物栽培容器）と補強具３０（保形部材；保持機構）とを備え、図４に植物栽培用枠１０の正面図、図５にその平面図を示す。この植物栽培セット１は図１及び図２に示したものと基本的に同一機能を有するものである。そこで、以降の図において同一機能を有する部分には同一符号を付して詳細な説明を省略する。
【００３９】
図３〜図８に示す具体例において、連結部材１１は湾曲形状に形成されており、また、一対の連結部材１１の相互間と連結部材１１及び接続部材１２とは、それぞれ軸と軸孔の組合せによる二次元関節（二次元結合；回り対偶）によって二次元的に相対回動可能に連結されている。以下、これらの構造について説明する。
【００４０】
図５に示すように、連結部材１１は、平面視で（高さ方向から見て）交差位置Ｘに近づくほど外方に突出する湾曲形状に形成されるとともに、正四角柱状の仮想空間Ｒを内包し、かつ各側面Ｓ１１〜Ｓ３４（図２参照）の中央部が外側に膨出する膨出状空間を形成している。
【００４１】
一対の連結部材１１は、内側に位置する内枠１１Ａと外側に位置する外枠１１Ｂとが交差位置Ｘにて第一回動軸心Ｏ１周りに相対回動可能に二次元関節によって連結されている。また、一対の連結部材１１の端部と接続部材１２とは、連結部材１１のパンタグラフ状の伸長又は収縮にかかわらず、第一回動軸心Ｏ１とほぼ平行な第二回動軸心Ｏ２周りにそれぞれ相対回動可能に二次元関節によって連結されている（図４及び図５参照）。なお、接続部材１２は、軸状又はパイプ状の差込軸部１２Ａ１（差込部；凸状部）を一体的に有する第一接続部材１２Ａ（図７）と、差込軸部１２Ａ１を有しない第二接続部材１２Ｂ（図８）とからなる。第一接続部材１２Ａの差込軸部１２Ａ１は、植木鉢２０の貫通孔状又は凹陥部状の係合孔部２１（係合部）、又は補強具３０の挿通孔３１（保形部材側係合部）に係合する（嵌り合う）。ただし、第一接続部材側を係合孔部とし、栽培容器側を差込軸部としてもよい。
【００４２】
図６及び図７（又は図８）に示すように、第一接続部材１２Ａ（又は第二接続部材１２Ｂ）には、底面Ｂの内角を構成する二辺Ｌ１，Ｌ２の各々に沿って本体部１２Ａ０（又は１２Ｂ０）から板状の接続基部１２Ａ２，１２Ａ４（又は１２Ｂ２，１２Ｂ４）が突出している。接続基部１２Ａ２，１２Ａ４（又は１２Ｂ２，１２Ｂ４）からこれらに対してほぼ直交する方向に第二回動軸心Ｏ２，Ｏ２を有する第二回動軸１２Ａ３１，１２Ａ３２，１２Ａ５１，１２Ａ５２（又は１２Ｂ３１，１２Ｂ３２，１２Ｂ５１，１２Ｂ５２）がそれぞれ突出形成されている。ここで、第二回動軸１２Ａ３１，１２Ａ３２（又は１２Ｂ３１，１２Ｂ３２）は第二回動軸心Ｏ２の軸心方向に沿って空間Ｒの内外両方向に配置されている。また、第二回動軸１２Ａ５１，１２Ａ５２（又は１２Ｂ５１，１２Ｂ５２）は第二回動軸心Ｏ２の軸心方向に沿って空間Ｒの内外両方向に配置されている。この結果、１個の第一接続部材１２Ａ（又は第二接続部材１２Ｂ）には計４個の第二回動軸１２Ａ３１，１２Ａ３２，１２Ａ５１，１２Ａ５２（又は１２Ｂ３１，１２Ｂ３２，１２Ｂ５１，１２Ｂ５２）が形成され、これらの第二回動軸心Ｏ２，Ｏ２は高さ方向においてほぼ同一高さに位置する（図４）。なお、本実施例のように連結部材１１を湾曲形状に形成した場合、底面Ｂの内角を構成する二辺Ｌ１，Ｌ２は、平面視で第一接続部材１２Ａ（又は第二接続部材１２Ｂ）の本体部１２Ａ０（又は１２Ｂ０）の中心Ｏを結ぶ線分で表わすこととする（図５，図６参照）。
【００４３】
図６に示すように、第一接続部材１２Ａ（又は第二接続部材１２Ｂ）に形成された第二回動軸１２Ａ３１，１２Ａ３２，１２Ａ５１，１２Ａ５２（又は１２Ｂ３１，１２Ｂ３２，１２Ｂ５１，１２Ｂ５２）（接続部材側係止部）と、内枠１１Ａ（又は外枠１１Ｂ）に形成された第二回動軸孔１１Ａ２（又は１１Ｂ２）（連結部材側係止部）とが、共通する第二回動軸心Ｏ２，Ｏ２周りに相対回動可能に結合されている。
【００４４】
図５に示す連結部材１１（内枠１１Ａ及び外枠１１Ｂ）において、第一回動軸心Ｏ１から両端部の第二回動軸心Ｏ２，Ｏ２までの距離は等しく又はほぼ等しく設定されている。一方、接続部材１２（第一接続部材１２Ａ及び第二接続部材１２Ｂ）において、本体部１２Ａ０（１２Ｂ０）の中心Ｏから両側の第二回動軸心Ｏ２，Ｏ２までの距離は等しく又はほぼ等しく設定されている。したがって、第一回動軸心Ｏ１（交差位置Ｘ）における一対の連結部材１１の相対回動、及び第二回動軸心Ｏ２における連結部材１１と接続部材１２との相対回動が、円滑にかつ一斉に行われ、連結部材１１や接続部材１２の共用化を図りやすくなる。
【００４５】
図４において、一対の連結部材１１（内枠１１Ａ及び外枠１１Ｂ）を、その交差位置Ｘで相対回動することにより高さ方向にパンタグラフ状に伸長していくと、各側面Ｓ１１〜Ｓ３４（図２）に設けられたすべての連結部材１１が底面Ｂ１〜Ｂ４（図２）の中央部に寄せ集められ、やがて植物栽培用枠１０（連結部材１１）は、高さ方向にほぼ一直線状（棒状）に折り畳まれる。一方、図４において、一対の連結部材１１を、その交差位置Ｘで相対回動することにより高さ方向にパンタグラフ状に収縮していくと、各側面Ｓ１１〜Ｓ３４（図２）に設けられたすべての連結部材１１が底面Ｂ１〜Ｂ４（図２）の形状（図２では正方形）にて高さ方向に扁平状に折り畳まれる。
【００４６】
（植物栽培用枠の具体例２）
次に、植物栽培用枠の他の具体例について、図９〜図１１を参照して説明する。図９は本考案の植物栽培セットの他の例を示す正面図である。図９の植物栽培セット１は、植物栽培用枠１０と植木鉢２０（植物栽培容器）とを備え、図１０に第一接続部材１２Ａ、図１１に第二接続部材１２Ｂを示す。この植物栽培セット１は図１及び図２に示したもの又は具体例１に示したものと基本的に同一機能を有するものである。そこで、以降の図において同一機能を有する部分には同一符号を付して詳細な説明を省略する。
【００４７】
具体例２では具体例１から次の事項が変更されている。
（１）具体例２では補強具が設けられず、底面Ｂを所定の底面形状に保持し、かつ、一対の連結部材１１を所定の交差角度に維持するための保持機構（図示せず）が設けられている。
（２）具体例２では、最下位底面Ｂ４（図２）の角隅部に配置される４個の接続部材１２のみが、パイプ状の差込軸部１２Ａ１を一体的に有する第一接続部材１２Ａで構成され、残りの接続部材１２は差込軸部１２Ａ１を有しない第二接続部材１２Ｂで構成されている（図９）。
（３）具体例２では、接続部材１２の本体部１２Ａ０，１２Ｂ０から突出する接続基部１２Ａ２，１２Ａ４，１２Ｂ２，１２Ｂ４を、底面Ｂの内角を構成する二辺Ｌ１，Ｌ２よりも外側に位置させてある（図１０，図１１）。なお、第一接続部材１２Ａには２個の第二回動軸１２Ａ３２，１２Ａ５１のみが形成されている（図１０）。
【００４８】
［固定構造の実施例１］
図９（植物栽培用枠の具体例２）において、複数の第一接続部材１２Ａ（接続部材）は共通の差込軸部１２Ａ１（差込部；凸状部）を有し、植木鉢２０（植物栽培容器）に形成される複数の係合孔部２１（係合部；凹状部）はその差込軸部１２Ａ１に対応した共通の構造を有している。そこで、図１２〜図１７では、図９に符号Ｂで示す部分で代表して、植物栽培用枠１０の植木鉢２０への固定構造を説明する。なお、以下の実施例は、植物栽培用枠の具体例１に対しても同様に実施できる。
【００４９】
図１２（ａ）は固定構造の第一の実施例を示す説明図である。図１２（ａ）において、第一接続部材１２Ａ（接続部材）の差込軸部１２Ａ１（差込部；凸状部）がパイプ状に形成される一方、植木鉢２０（植物栽培容器）の係合孔部２１（係合部；凹状部）は差込軸部１２Ａ１の外径と等しい内径を有する貫通孔状に形成されている。
【００５０】
そして、第一接続部材１２Ａの差込軸部１２Ａ１には、差込軸部１２Ａ１が差込限界位置、差込標準位置等の目標位置にあるとき、係合孔部２１への差し込みを停止又は規制するためのストッパ機能が備えられている。具体的には、第一接続部材１２Ａの差込軸部１２Ａ１には、差込軸部１２Ａ１が係合孔部２１に所定寸法差し込まれたときに、下面が植木鉢２０の係合孔部２１の上縁に接触して差し込みを停止させるためのフランジ状部（本体部１２Ａ０及び接続基部１２Ａ２，１２Ａ４）が一体形成されている。なお、フランジ状部には、連結部材１１Ｂ，１１Ａの端部を回動自在に連結するための第二回動軸１２Ａ３２，１２Ａ５１（回動軸）が一体形成されている。
【００５１】
また、植木鉢２０の係合孔部２１には、差込軸部１２Ａ１が係合孔部２１に対して差込限界位置、差込標準位置等の目標位置に到達したことを視認可能とするための表示機能が備えられている。具体的には、植木鉢２０の係合孔部２１には、第一接続部材１２Ａの差込軸部１２Ａ１を外部から視認可能とするための切欠部２３ａが差込方向に沿って形成されている。この切欠部２３ａは、差込軸部１２Ａ１の差込量が大きくなるほど切欠幅が段階的に広くなるように形成され、差込目標位置を明確にして差込不足の解消を図っている。
【００５２】
さらに、第一接続部材１２Ａと植木鉢２０とは異なる色彩のＰＰ樹脂でそれぞれ一体射出成形されているので、差込目標位置に達したことを色変化によっても認識できる。これによって、差込位置の見落としによる差込不足を防止できる。
【００５３】
なお、図１２（ｂ）では、図１２（ａ）の切欠部２３ａを、差込軸部１２Ａ１の差込量が大きくなるほど切欠幅が連続的に広くなるような切欠部２３ｂに変更している。図１２（ａ）と同様に、差込目標位置を明確にして差込不足の解消を図ることができる。
【００５４】
［固定構造の実施例２］
図１３は固定構造の第二の実施例を示す説明図である。図１３に示す植木鉢２０の係合孔部２１には、第一接続部材１２Ａの差込軸部１２Ａ１を外部から視認可能とするための複数（例えば３個）の透孔２３ｃが差込方向と交差する方向（例えば直交方向）に形成されている。これらの透孔２３ｃは、差込軸部１２Ａ１の差込量が大きくなるほど孔径が大きくなるように形成され、差込目標位置を明確にして差込不足の解消を図っている。
【００５５】
［固定構造の実施例３］
図１４は固定構造の第三の実施例を示す説明図である。図１４に示す第一接続部材１２Ａの差込軸部１２Ａ１と植木鉢２０の係合孔部２１とには、差込軸部１２Ａ１が差込限界位置、差込標準位置等の目標位置にあるとき、係合孔部２１への差し込みを終了して抜け止めを行うためのロック機能が備えられている。具体的には、第一接続部材１２Ａの差込軸部１２Ａ１と植木鉢２０の係合孔部２１との間に作用する摩擦抵抗、弾性変形等の機械的性質を用いて差込目標位置を保持するための保持機構が設けられている。さらに具体的には、パイプ状の差込軸部１２Ａ１の外周の一部を切除するとともに、上方側から下方側に垂下し方向変換部を経て上方側に至るＵ字状（舌状）の切れ込み部１２ｂを形成し、切れ込み部１２ｂは上方側を支点として下方側がａ方向に弾性変形しｂ方向に弾性復帰する。そして、切れ込み部１２ｂの下端部外周面には部分的に外側に突出する凸部１２ａが一体形成され、係合孔部２１の内周面には部分的な凹部２１ａが一体形成されている。なお、図１４では、凹部２１ａは、係合孔部２１において第一接続部材１２Ａの差込軸部１２Ａ１を外部から視認可能とするために、差込方向と交差する方向（例えば直交方向）に形成された透孔で構成されている。
【００５６】
したがって、差込軸部１２Ａ１が係合孔部２１に途中まで差し込まれたとき、凸部１２ａが係合孔部２１の内周面に接触するために、切れ込み部１２ｂは上方側を支点とし下方側がａ方向に回動（後退）して弾性変形する（図１４（ｂ））。さらに差込軸部１２Ａ１が係合孔部２１に差し込まれて差込目標位置に達したとき、切れ込み部１２ｂは上方側を支点とし下方側がｂ方向に回動（前進）して弾性復帰し、凸部１２は凹部２１ａと嵌合して差込目標位置に保持される（図１４（ｃ））。このように、凸部１２ａと凹部２１ａとは差込目標位置でのラッチ機構（保持機構）を構成している。ラッチ機構によって差込軸部１２Ａ１（第一接続部材１２Ａ）と係合孔部２１（植木鉢２０）とが差込目標位置でロックされたとき、凸部１２と凹部２１ａとの嵌合による「パチッ」という音感により、差込不足を解消し差込目標位置を維持することができる。また、差込不足の解消のためさらに、凸部１２と凹部２１ａとの嵌合に基づく摩擦による抵抗感や、第一接続部材１２Ａと植木鉢２０との色彩変化等を付加することもできる。
【００５７】
［固定構造の実施例４］
図１５は固定構造の第四の実施例を示す説明図である。図１５に示す第一接続部材１２Ａの差込軸部１２Ａ１と植木鉢２０の係合孔部２１とには、差し込み方向と交差する方向（例えば直交方向）にそれぞれ透孔１２ｃ，２１ｃが形成されている。そして、差込軸部１２Ａ１が係合孔部２１に差し込まれて差込目標位置で互いの透孔１２ｃ，２１ｃが一致したとき、これらの透孔１２ｃ，２１ｃに保持軸２４を挿入して、差込軸部１２Ａ１（第一接続部材１２Ａ）と係合孔部２１（植木鉢２０）とを差込目標位置でロックする（図１５（ｂ））。このように、保持軸２４は差込目標位置での保持機構を構成し、この保持軸２４によって差込目標位置での両部材のロックが確実に維持される。
【００５８】
［固定構造の実施例５］
図１６は固定構造の第五の実施例を示す説明図である。図１６に示す第一接続部材１２Ａの差込軸部１２Ａ１はＰＰ樹脂製のパイプで構成され、植木鉢２０の係合孔部２１は差込軸部１２Ａ１の外径とほぼ等しい内径を有するＰＰ樹脂製の貫通孔部で構成されている。差込軸部１２Ａ１の外周面及び係合孔部２１の内周面には、下向きに狭まる傾斜を有するテーパ１２Ｔ，２１Ｔがそれぞれ形成されている。さらに、差込軸部１２Ａ１の外周面に形成されるテーパ１２Ｔの傾斜は、係合孔部２１の内周面に形成されるテーパ２１Ｔの傾斜よりも小さく（急傾斜に）設定され、差込軸部１２Ａ１と係合孔部２１との結合を強固にして外れにくくしている。このように、テーパ１２Ｔ，２１Ｔは差込目標位置での保持機構を構成し、射出成形の際の金型の抜き勾配を利用して、繰り返し使用にも耐え得る外れ止め構造（ロック構造）とすることができる。
【００５９】
［固定構造の変形例］
図１７は固定構造の変形例を示す説明図である。図１７（ａ）に示す第一接続部材１２Ａの差込軸部１２Ａ１は軸状（凸状部）に形成される一方、植木鉢２０の係合孔部２１は、差込軸部１２Ａ１の外径と等しい内径を有して嵌り合う貫通孔状（凹状部）に形成されている。そして、差込軸部１２Ａ１の下部には、差込軸部１２Ａ１が係合孔部２１に所定寸法差し込まれたときに、下面が植木鉢２０の係合孔部２１の上縁に接触して差し込みを停止させるためのフランジ状部１２Ｆが一体突出形成されている。
【００６０】
図１７（ｂ）に示す第一接続部材１２Ａの差込軸部１２Ａ１はパイプ状（凹状部）に形成される一方、植木鉢２０には、差込軸部１２Ａ１の内径と等しい外径を有して嵌り合う支持軸２５（凸状部）が上方に突出形成されている。そして、差込軸部１２Ａ１の下端部には、差込軸部１２Ａ１が支持軸２５に所定寸法差し込まれたときに、下面が植木鉢２０の上縁に接触して差し込みを停止させるためのフランジ状部１２Ｆが一体突出形成されている。
【００６１】
なお、図１２〜図１７において、植物栽培用枠の具体例２（図９〜図１１）と共通の機能を有する部分には同一符号を付して説明を省略した。また、図１２〜図１７に示す実施例及び変形例は適宜組み合わせて実施することができる。
【００６２】
（植物栽培用枠の第二の基本構成）
図１８は本考案に係る植物栽培用枠の第二の基本構成を示す斜視図、図１９はその平面図である。
図１８を参照して、本考案に係る植物栽培用枠１０’の第二の基本構成は、次のように表わされる。まず、栽培植物の成長方向を高さ方向（上下方向）として、その栽培植物の周囲に円柱状の仮想空間Ｒ’を形成する。この空間Ｒ’を互いに平行な上下複数（例えば４個）の底面Ｂ１’〜Ｂ４’で高さ方向と直角方向（水平方向）に切り、各底面Ｂ１’〜Ｂ４’においてその周縁部に各々等しい数（例えば４個）の接続部材１２’を配置する。そして、これらの接続部材１２’によって分割形成される各側面、具体的には、隣接する二底面（例えばＢ１’とＢ２’）に近接配置される４個の接続部材１２’，１２’，１２’，１２’によって円柱の周面上に形成される各側面Ｓ１１’〜Ｓ３４’において、対角線状に交差する一対の連結部材１１’を設ける。この一対の連結部材１１’を、交差位置Ｘ’にて各々の側面Ｓ１１’〜Ｓ３４’に沿って相対回動自在に連結する。また、隣接する二側面（例えばＳ１１’とＳ１２’）に位置する各一対の連結部材１１’，１１’の端部を、接続部材１２’，１２’に対してそれぞれ相対回動自在に連結する。なお、図１８では、上下４つの切断底面Ｂ１’〜Ｂ４’が形成する段数：３段と、各底面Ｂ１’〜Ｂ４’の周縁部に配置されるの接続部材１２’の数：４個とを掛けた１２の側面Ｓ１１’〜Ｓ１４’；Ｓ２１’〜Ｓ２４’；Ｓ３１’〜Ｓ３４’（図中一部省略）が形成される。
【００６３】
図１９に示すように、一対の連結部材１１’（内枠１１Ａ’と外枠１１Ｂ’）は、交差位置Ｘ’にて第一回動軸心Ｏ１’周りに相対回動可能に連結される。さらに、連結部材１１’と接続部材１２’とは、底面Ｂ１’〜Ｂ４’（図１８）において半径方向に沿って形成される第二回動軸心Ｏ２’を有する二次元関節（二次元結合；回り対偶）にて、それぞれ相対回動可能に連結されている。ただし、一対の連結部材１１’の第一回動軸心Ｏ１’周りでの相対回動に伴う第二回動軸心Ｏ２’の変位を吸収するために、この二次元関節には、所定の隙間（遊び、ガタ）が付与されている。なお、連結部材１１’と接続部材１２’とは、隙間を有する二次元関節の代わりにユニバーサルジョイント等の三次元関節（三次元結合；球面対偶）で相対回動可能に連結してもよい。
【００６４】
このようにして、一対の連結部材１１’を各側面Ｓ１１’〜Ｓ３４’において網目状に交差連結し、いずれかの連結部材１１’をその交差位置Ｘ’で相対回動すれば、すべての連結部材１１’を連動させて一斉に相対回動させることができる。これによって、植物栽培用枠１０’（連結部材１１’）が高さ方向（上下方向）にパンタグラフ状に伸長又は収縮し、それにつれて各底面Ｂ１’〜Ｂ４’の底面積は縮小又は拡大する。つまり、連結部材１１’のパンタグラフ状の伸縮によって、植物栽培用枠１０’の高さ調節と広さ調節とが同時に行われるので、比較的横方向に広がらずに縦方向によく伸びる植物（蔓性植物など）と、比較的縦方向には伸びずに横方向によく広がる植物（枝性植物など）とに応じて、高さと広さを容易に調節できる。
【００６５】
したがって、一対の連結部材１１’を、その交差位置Ｘ’で相対回動することにより高さ方向にパンタグラフ状に伸長していくと、各側面Ｓ１１’〜Ｓ３４’に設けられたすべての連結部材１１’が底面Ｂ１’〜Ｂ４’の中央部に寄せ集められ、やがて植物栽培用枠１０’（連結部材１１’）は高さ方向にほぼ一直線状（棒状）に折り畳まれる。一方、一対の連結部材１１’を、その交差位置Ｘ’で相対回動することにより高さ方向にパンタグラフ状に収縮していくと、各側面Ｓ１１’〜Ｓ３４’に設けられたすべての連結部材１１’が底面Ｂ１’〜Ｂ４’の形状（図１９では円形）にて高さ方向に扁平状に折り畳まれる。
【００６６】
このような基本構成を有する植物栽培用枠１０’においても、図１２〜図１７で説明した植物栽培容器への固定構造を同様に実施することができる。
【００６７】
（植物栽培用枠の第三の基本構成）
図２０（ａ）に示す植物栽培セット１０１は、栽培される植物の周囲において上下に延びる空間を形成しうる植物栽培用枠１１０と、植物栽培用枠１１０を固定するための植木鉢１２０（植物栽培容器）とを備えている。
【００６８】
図２０（ａ）を参照して、本考案に係る植物栽培用枠１１０の第三の基本構成は、次のように表わされる。植物栽培用枠１１０は、植物の周囲に配置される複数（例えば４本）の連結部材１１１，１１１，…と、各連結部材１１１の端部を回動自在に連結するための複数（例えば４個）の接続部材１１２，１１２，…と、上下に延びるとともにその上下方向に所定間隔で複数（例えば４個）の接続部材１１２が取り付けられた複数（例えば４本）の支柱１１３，１１３，…とを含んで構成されている。接続部材１１２は、軸状又はパイプ状の差込軸部１１２Ａ１（差込部；凸状部）を一体的に有する第一接続部材１１２Ａ（接続部材）（図１２（ｃ））と、差込軸部１１２Ａ１を有しない第二接続部材１１２Ｂ（図１２（ｂ））とからなる。第一接続部材１１２Ａの差込軸部１１２Ａ１は、植木鉢２０の貫通孔状又は凹陥部状の係合孔部１２１（係合部；凹状部）に係合する（嵌り合う）。
【００６９】
第一接続部材１１２Ａ及び第二接続部材１１２Ｂの外側面には、連結部材１１１の端部を回動自在に連結するための回動軸１１２Ａ２，１１２Ｂ２が複数個（例えば２個）ずつ一体突出成形されている。第一接続部材１１２Ａ及び第二接続部材１１２Ｂの内側面には、支柱１１３を保持するためのキャッチャ１１２Ａ３，１１２Ｂ３（嵌合部）が一体突出成形されている。なお、１２２は、栽培用土を入れて栽培植物の種を播いたり苗を移植したりするために、植木鉢１２０に形成される栽培槽である。
【００７０】
このような基本構成を有する植物栽培用枠１１０においても、図１２〜図１７で説明した植物栽培容器への固定構造を同様に実施することができる。
【図面の簡単な説明】
【００７１】
【図１】本考案の植物栽培セットの概略構造を示す斜視図。
【図２】本考案に係る植物栽培用枠の第一の基本構成を示す斜視図。
【図３】本考案の植物栽培セットの一例を示す正面図及び側面図。
【図４】図３に示す植物栽培用枠の正面図。
【図５】図３に示す植物栽培用枠の平面図。
【図６】図５の拡大図。
【図７】図３に示す第一接続部材の左側面図、正面図、右側面図、底面図及び斜視図。
【図８】図３に示す第二接続部材の左側面図、正面図、右側面図、底面図及び斜視図。
【図９】本考案の植物栽培セットの他の例を示す正面図。
【図１０】図９に示す第一接続部材の正面図、右側面図、底面図、Ａ−Ａ断面図及び斜視図。
【図１１】図９に示す第二接続部材の正面図、右側面図、底面図及び斜視図。
【図１２】本考案の植物栽培用枠の固定構造を示す第一の実施例の説明図。
【図１３】本考案の植物栽培用枠の固定構造を示す第二の実施例の説明図。
【図１４】本考案の植物栽培用枠の固定構造を示す第三の実施例の説明図。
【図１５】本考案の植物栽培用枠の固定構造を示す第四の実施例の説明図。
【図１６】本考案の植物栽培用枠の固定構造を示す第五の実施例の説明図。
【図１７】植物栽培用枠の固定構造の変形例を示す説明図。
【図１８】本考案に係る植物栽培用枠の第二の基本構成を示す斜視図。
【図１９】図１８の植物栽培用枠の平面図。
【図２０】本考案に係る植物栽培用枠の第三の基本構成を示す斜視図及びそれに用いる接続部材の斜視図。
【符号の説明】
【００７２】
１        植物栽培セット
１０      植物栽培用枠
１１      連結部材
１２Ａ    第一接続部材（接続部材）
１２Ａ０  本体部（フランジ状部）
１２Ａ１  差込軸部（差込部；凸状部）
１２Ａ２  接続基部（フランジ状部）
１２Ａ４  接続基部（フランジ状部）
１２Ｂ    第二接続部材
２０      植木鉢（植物栽培容器）
２１      係合孔部（係合部；凹状部）
【図１】
0003101820.tif 000003
【図２】
0003101820.tif 000004
【図３】
0003101820.tif 000005
【図４】
0003101820.tif 000006
【図５】
0003101820.tif 000007
【図６】
0003101820.tif 000008
【図７】
0003101820.tif 000009
【図８】
0003101820.tif 000010
【図９】
0003101820.tif 000011
【図１０】
0003101820.tif 000012
【図１１】
0003101820.tif 000013
【図１２】
0003101820.tif 000014
【図１３】
0003101820.tif 000015
【図１４】
0003101820.tif 000016
【図１５】
0003101820.tif 000017
【図１６】
0003101820.tif 000018
【図１７】
0003101820.tif 000019
【図１８】
0003101820.tif 000020
【図１９】
0003101820.tif 000021
【図２０】
0003101820.tif 000022